(57)【要約】【課題】安全なカード決済を可能にするカード決済方法を提供すること。【解決手段】携帯電話機９を用いたカード決済システム１は、ウエブ画面のクレジット決済用画面をインターネット７上に配信し、クレジット決済用画面によってカード決済情報を取得し、カード決済情報を決済機関１２のデータ処理装置１３に送って決済処理をする決済情報処理装置１１と、少なくとも会員番号と決済機関の情報を有するカード情報を読み、カード情報を含むカード決済情報を送出できるカードリーダ５と、インターネット７を介してクレジット決済用画面を取得して液晶ディスプレイ上に表示し、カードリーダ５からクレジット決済用画面に必要なカード決済情報を受け取ってクレジット決済用画面に反映しそれを決済情報センター１０の決済情報処理装置１１に送出する携帯電話機９とからなる。【選択図】　図１
2004054651.tif 000002
【特許請求の範囲】
【請求項１】
決済情報センターに設けられ、カード決済用画面をウエブ画面としてインターネット上に配信し、当該カード決済用画面でカード決済情報を取得し、当該カード決済情報を決済機関のデータ処理装置に送って決済処理を可能にした決済情報処理装置と、
少なくとも会員番号と決済機関コードが書き込まれたカード情報を読み取ることができるとともに、当該カード情報および他の決済情報を含むカード決済情報を送出できるカードリーダと、
前記決済情報センターの決済情報処理装置にインターネットを介して接続し、かつ、前記カード決済用画面を取得してディスプレイ上に表示し、当該カード決済用画面に必要なカード決済情報を前記カードリーダから受け取って当該カード決済用画面に入力し、その入力したカード決済用画面を前記決済情報センターの決済情報処理装置に送出できる携帯電話機と、
を備えたことを特徴とする携帯電話機を用いたカード決済システム。
【請求項２】
少なくとも会員番号と決済機関コードが書き込まれたカード情報を読み取ることかできるとともに当該カード情報および他の決済情報を含むカード決済情報を送出できるカードリーダと、
インターネットに接続して、決済情報センターの決済情報処理装置がインターネット上に配信しているカード決済用画面を取得してディスプレイ上に表示し、当該カード決済用画面に必要なカード決済情報を前記カードリーダから受け取って当該カード決済用画面に入力し、その入力が終了したカード決済用画面を前記決済情報センターの決済情報処理装置にインターネットを介して送出できる携帯電話機と、
を備えたことを特徴とする携帯電話機を用いたカード決済システム。
【請求項３】
前記カードリーダは、読み取ったカード情報および他の決済情報を含む前記カード決済情報を暗号化できる暗号化手段を備えたものであることを特徴とする請求項１または請求項２記載の携帯電話機を用いたカード決済システム。
【請求項４】
少なくとも会員番号と決済機関コードが書き込まれたカード情報を読み取るステップ、および、当該カード情報および他の決済情報を含むカード決済情報を送出できるステップからなるカードリーダ処理ステップと、
インターネットに接続して、決済情報センターの決済情報処理装置がインターネット上に配信しているカード決済用画面を取得してディスプレイ上に表示させるステップ、当該カード決済用画面に必要なカード決済情報を受け取って当該カード決済用画面に入力するステップ、および、その入力が終了したカード決済用画面を前記決済情報センターの決済情報処理装置にインターネットを介して送出できるステップからなる携帯電話処理ステップと、
前記カード決済用画面をウエブ画面としてインターネット上に配信するステップ、当該カード決済用画面でカード決済情報を取得するステップ、当該カード決済情報を決済機関のデータ処理装置に送って決済処理を可能にするステップからなる決済情報処理ステップと、
を備えたことを特徴とする携帯電話機を用いたカード決済方法。
【請求項５】
少なくとも会員番号と決済機関コードが書き込まれたカード情報を読み取るステップ、および、当該カード情報と他の決済情報とを含むカード決済情報を送出できるステップからなるカードリーダ処理ステップと、
インターネットに接続して、決済情報センターの決済情報処理装置がインターネット上に配信しているカード決済用画面を取得してディスプレイ上に表示させるステップ、当該カード決済用画面に必要なカード決済情報を受け取って当該カード決済用画面に入力するステップ、および、その入力が終了した前記カード決済用画面を前記決済情報センターの決済情報処理装置にインターネットを介して送出できるステップからなる携帯電話処理ステップと、
を備えたことを特徴とする携帯電話機を用いたカード決済方法。
【請求項６】
カードリーダ処理ステップは、読み取ったカード情報および他の決済情報を含むカード決済情報を暗号化できることを特徴とする請求項４または請求項５記載の携帯電話機を用いたカード決済方法。
【請求項７】
決済情報センターに設けられ、ウエブ画面のカード決済用画面をインターネットに接続されたウエブ処理機能を持つ携帯電話機に配信する配信手段と、
カードリーダで得られたカード決済情報が当該携帯電話機によってカード決済用画面に書き込まれた結果であるカード決済情報を取得する取得手段と、
当該カード決済情報を決済機関のデータ処理装置に送って決済処理を可能にする決済処理手段と、
を備えたことを特徴とする決済情報処理装置。
【請求項８】
ウエブ画面のカード決済用画面をインターネットに接続されたウエブ処理機能を持つ携帯電話機に配信するステップと、
カードリーダで得られたカード決済情報が当該携帯電話機によってカード決済用画面に書き込まれた結果であるカード決済情報を取得するステップと、
当該カード決済情報を決済機関のデータ処理装置に送って決済処理を可能にするステップと、
を備えたことを特徴とする決済情報処理方法。
【請求項９】
ウエブ画面のカード決済用画面をインターネットに接続されたウエブ処理機能を持つ携帯電話機に配信するステップと、
カードリーダで得られたカード決済情報が当該携帯電話機によってカード決済用画面に書き込まれた結果であるカード決済情報を取得するステップと、
当該カード決済情報を決済機関のデータ処理装置に送って決済処理を可能にするステップと、
を備えたことを特徴とする決済情報処理プログラム。
【請求項１０】
ウエブ画面のカード決済用画面をインターネットに接続されたウエブ処理機能を持つ携帯電話機に配信する機能と、
カードリーダで得られたカード決済情報が当該携帯電話機によってカード決済用画面に書き込まれた結果であるカード決済情報を取得する機能と、
当該カード決済情報を決済機関のデータ処理装置に送って決済処理を可能にする機能と、
をコンピュータに実現させる決済情報処理プログラムが格納された記憶媒体。
【発明の詳細な説明】
【０００１】
【発明の属する技術分野】
本発明は、簡単な構成で確実なカード決済を可能にした携帯電話機を用いたカード決済システム、携帯電話機を用いたカード決済方法、決済情報処理装置、決済情報処理方法、決済情報処理プログラム、および、決済情報処理プログラムが格納された記憶媒体に関するものである。
【０００２】
【従来の技術】
従来、クレジットカードなどを使用してサービスの提供を受けた対価や商品購入時の決済を行う場合には、例えば次の３つの方法がよく行われている。
（ｉ）専用の無線回線により通信が可能なカード決済端末機を用意し、クレジット決済が必要となったときに、当該カード決済端末機に、例えばクレジットカードの情報を読み取らせるとともに、その他決済に必要な情報をキー入力し、しかる後に、専用無線回線で決済機関のデータ処理装置に接続し、クレジット決済に必要な情報を前記決済機関のデータ処理装置に送出することにより、クレジットカードによる決済を行うようにしたものである（特開２００１−２０９８４５号公報、第１の従来技術）。
（ｉｉ）携帯電話機を決済機関のデータ処理装置に接続し、前記データ処理装置から要求されるカード決済に必要な情報（会員番号や金額など）を、携帯電話機のキーを手操作して入力することにより、クレジットカードによる決済を行うようにしたものである（第２の従来技術）。
（ｉｉｉ）カードリーダに高速な中央演算処理装置（ＣＰＵ）と、ＲＯＭ（リード・オンリ・メモリ）と、ＲＡＭ（主メモリ）と、入出力インターフェースとを設け、カードリーダ用の回路を入出力インターフェースを介してＣＰＵ側に接続しかつ、ＲＯＭにオペレーティングシステムおよびカード決済や情報通信制御を行うアプリケーションプログラムを格納し、決済が必要となったときに、専用の通信回線を介して決済センターのデータ処理装置に接続し、上記オペレーティングシステム、アプリケーションプログラムをＣＰＵが処理することにより、決済に必要なカード決済情報を決済センターのデータ処理装置に送るようにしたことにより、クレジットカードによる決済を行うようにしたものである（第３の従来技術）。
【０００３】
【発明が解決しようとする課題】
上述した第１の従来技術によれば、専用の無線回線を必要とするほか、カード決済端末の外形が大きいほかその重量が重く、かつ、装置が高価であった。
上述した第２の従来技術によれば、携帯電話で会員番号を入力するには操作が面倒であるほか、入力の間違えをしてしまう不都合があり、しかも、カードがなくても決済ができてしまい、会員番号が漏れた場合などは他人によって決済されてしまうおそれがあり、安全面で問題があった。
上述した第３の従来技術によれば、高速なＣＰＵやＲＯＭやＲＡＭなどのハードウエアを設ける必要があるほか、オペレーティングシステム、アプリケーションプログラムなどを開発し格納する必要があり、しかも通信制御もする必要があるため、部品点数が多くなり、しかも、ソフトウエアが大きくなる結果、製造コストが上昇してしまうという欠点があった。
【０００４】
本発明は、上述した問題点を解消し、簡単な構成でかつ安価で確実・安全にカード決済を可能にするカード決済システムを提供することを目的とする。
【０００５】
【課題を解決するための手段】
上記目的を達成するため、請求項１記載の発明に係る携帯電話機を用いたカード決済システムは、決済情報センターに設けられ、カード決済用画面をウエブ画面としてインターネット上に配信し、当該カード決済用画面でカード決済情報を取得し、当該カード決済情報を決済機関のデータ処理装置に送って決済処理を可能にした決済情報処理装置と、少なくとも会員番号と決済機関コードが書き込まれたカード情報を読み取ることができるとともに当該カード情報および他の決済情報を含むカード決済情報を送出できるカードリーダと、前記決済情報センターの決済情報処理装置にインターネットを介して接続し、かつ、前記カード決済用画面を取得してディスプレイ上に表示し、当該カード決済用画面に必要なカード決済情報を前記カードリーダから受け取って当該カード決済用画面に入力し、その入力したカード決済用画面を前記決済情報センターの決済情報処理装置に送出できる携帯電話機と、を備えたことを特徴とする。
上記目的を達成するため、請求項２記載の発明に係る携帯電話機を用いたカード決済システムは、少なくとも会員番号と決済機関コードが書き込まれたカード情報を読み取ることかできるとともに当該カード情報および他の決済情報を含むカード決済情報を送出できるカードリーダと、インターネットに接続して、決済情報センターの決済情報処理装置がインターネット上に配信しているカード決済用画面を取得してディスプレイ上に表示し、当該カード決済用画面に必要なカード決済情報を前記カードリーダから受け取って当該カード決済用画面に入力し、その入力が終了したカード決済用画面を前記決済情報センターの決済情報処理装置にインターネットを介して送出できる携帯電話機と、を備えたことを特徴とする。
【０００６】
請求項３記載の発明では、請求項１または２において、少なくとも会員番号と決済機関コードが書き込まれたカード情報を読み取るステップ、および、当該カード情報および他の決済情報を含むカード決済情報を送出できるステップからなるカードリーダ処理ステップと、インターネットに接続して、決済情報センターの決済情報処理装置がインターネット上に配信しているカード決済用画面を取得してディスプレイ上に表示させるステップ、当該カード決済用画面に必要なカード決済情報を受け取って当該カード決済用画面に入力するステップ、および、その入力が終了したカード決済用画面を前記決済情報センターの決済情報処理装置にインターネットを介して送出できるステップからなる携帯電話処理ステップと、前記カード決済用画面をウエブ画面としてインターネット上に配信するステップ、当該カード決済用画面でカード決済情報を取得するステップ、当該カード決済情報を決済機関のデータ処理装置に送って決済処理を可能にするステップからなる決済情報処理ステップと、を備えたことを特徴とする。
【０００７】
上記目的を達成するため、請求項５記載の発明に係る携帯電話機を用いたカード決済方法は、少なくとも会員番号と決済機関コードが書き込まれたカード情報を読み取るステップ、および、当該カード情報と他の決済情報とを含むカード決済情報を送出できるステップからなるカードリーダ処理ステップと、インターネットに接続して、決済情報センターの決済情報処理装置がインターネット上に配信しているカード決済用画面を取得してディスプレイ上に表示させるステップ、当該カード決済用画面に必要なカード決済情報を受け取って当該カード決済用画面に入力するステップ、および、その入力が終了した前記カード決済用画面を前記決済情報センターの決済情報処理装置にインターネットを介して送出できるステップからなる携帯電話処理ステップと、を備えたことを特徴とする。
請求項６記載の発明では、請求項４または５において、カードリーダ処理ステップは、読み取ったカード情報および他の決済情報を含むカード決済情報を暗号化できることを特徴とする。
上記目的を達成するため、請求項７記載の発明に係る決済情報処理装置は、決済情報センターに設けられ、ウエブ画面のカード決済用画面をインターネットに接続されたウエブ処理機能を持つ携帯電話機に配信手段と、カードリーダで得られたカード決済情報が当該携帯電話機によってカード決済用画面に書き込まれた結果であるカード決済情報を取得手段と、当該カード決済情報を決済機関のデータ処理装置に送って決済処理を可能にする決済処理手段と、を備えたことを特徴とする。
【０００８】
上記目的を達成するため、請求項８記載の発明に係る決済情報処理方法は、ウエブ画面のカード決済用画面をインターネットに接続されたウエブ処理機能を持つ携帯電話機に配信するステップと、カードリーダで得られたカード決済情報が当該携帯電話機によってカード決済用画面に書き込まれた結果であるカード決済情報を取得するステップと、当該カード決済情報を決済機関のデータ処理装置に送って決済処理を可能にするステップと、を備えたことを特徴とする。
上記目的を達成するため、請求項９記載の発明に係る決済情報処理プログラムは、ウエブ画面のカード決済用画面をインターネットに接続されたウエブ処理機能を持つ携帯電話機に配信するステップと、カードリーダで得られたカード決済情報が当該携帯電話機によってカード決済用画面に書き込まれた結果であるカード決済情報を取得するステップと、当該カード決済情報を決済機関のデータ処理装置に送って決済処理を可能にするステップとを備えたことを特徴とする。
上記目的を達成するため、請求項１０記載の発明に係る決済情報処理プログラムが格納された記憶媒体は、ウエブ画面のカード決済用画面をインターネットに接続されたウエブ処理機能を持つ携帯電話機に配信する機能と、カードリーダで得られたカード決済情報が当該携帯電話機によってカード決済用画面に書き込まれた結果であるカード決済情報を取得する機能と、当該カード決済情報を決済機関のデータ処理装置に送って決済処理を可能にする機能と、をコンピュータに実現させる決済情報処理プログラムが格納されたことを特徴とする。
【０００９】
【発明の実施の形態】
以下、本発明の実施の形態について図面を参照して説明する。
図１ないし図８は、本発明の実施の形態に係る携帯電話機を用いたカード決済システムを説明するための図である。
ここに、図１は、本発明の実施の形態に係る携帯電話機９を用いたカード決済システム１の構成を示す図である。
この図１において、本発明の実施の形態に係る携帯電話機９を用いたカード決済システム１は、大別すると、クレジットカード３の情報を読み取るとともに決済に必要な情報を入力できるカードリーダ５と、このカードリーダ５を接続しかつインターネット７に接続してウエブ画面を表示できる機能を有する携帯電話機９と、決済情報センター１０に設けられ、インターネット７上にクレジット決済用画面をウエブ画面として配信可能とする決済情報処理装置１１とからなる。
さらに説明すると、決済情報処理装置１１は、クレジット会社、銀行、決済代行業者などの決済機関１２のデータ処理装置１３にＣＡＦＩＳ（カードビジネス総合ネットワークシステム）１５を介して接続可能とされており、決済情報処理装置１１とデータ処理装置１３との間でクレジット情報の通信を可能とするとともに、前記インターネット７上にクレジット決済用画面をウエブ画面として配信可能となっている。
このＣＡＦＩＳ１５とは、決済情報処理装置１１から送信された決済情報を、指定された決済機関１２へ転送する機能を有するネットワークである。
【００１０】
また、前記決済情報処理装置１１は、ウエブ画面のクレジット決済用画面をインターネット７に接続されたウエブ処理機能を持つ携帯電話機９に配信する手段と、カードリーダ５で得られたカード決済情報が当該携帯電話機９によってクレジット決済用画面に書き込まれた結果であるカード決済情報を取得する手段と、当該カード決済情報を決済機関１２のデータ処理装置１３に送出して決済処理を可能にする手段とを備えている。
前記カードリーダ５は、詳細は後述するが、クレジットカード３を読み取る読取部と、キーボードなどの入力部と、前記入力部より入力したデータなどを表示する表示部とを備え、クレジットカード３のカード情報を読み取るとともに当該カード情報および他の決済情報を含むカード決済情報を送出できるように構成されている。
前記携帯電話機９は、パケット通信網１７、通信事業者接続センター１８、インターネット７を介して前記決済情報センター１０の決済情報処理装置１１に接続し、前記クレジット決済用画面を当該携帯電話機９のディスプレイ上に表示し、かつ、当該クレジット決済用画面に必要なクレジット情報を前記カードリーダ５から受け取って当該クレジット決済用画面に入力し、その入力が終了したクレジット決済用画面を前記決済情報センター１０の決済情報処理装置１１に送出できるようになっている。
【００１１】
ここで、通信事業者接続センター１８では、図示しないが、アクセスサーバと、ゲートウエイサーバと、ルータとがＬＡＮ（ローカル・エリア・ネットワーク）で接続されており、前記パケット通信網１７がアクセスサーバに接続されており、前記ルータがインターネット７に接続されている。そして、前記携帯電話機９は、パケット通信網１７を介して通信事業者接続センター１８のアクセスサーバ・ゲートウエイサーバ・ルータを経由してインターネット７に接続されるようになっている。
図２は、本発明の実施の形態に係る携帯電話機９を用いたカード決済システム１で使用するカードを示す図である。
この図２に示すクレジットカード３は、プラスチックなどの素材により所定の大きさの長方形状の薄板状３１に形成されており、その薄板状３１の一面あるいは両面の偏った位置に細い帯状の磁気記録媒体３２が設けられており、その磁気記録媒体３２に例えば会員番号、クレジット会社など決済機関に関するコード、その他必要な情報が書き込まれている。
【００１２】
図３は、本発明の実施の形態に係る携帯電話機９を用いたカード決済システム１で使用するカードリーダ５の外観を示す図である。
本発明の携帯電話機９を用いたカード決済システム１で使用されるカードリーダ５は、図３に示すように、所定の大きさの直方体形状のカードリーダ本体５０と、このカードリーダ本体５０の一面の図示右側面側に偏った位置にクレジットカード３の厚みよりやや大きな幅の溝を図示上側の側面から図示下側の側面に渡って形成してなるカード読取部５１と、前記決済に必要な情報を入力するためのテンキー・転送キーなどの入力キー５２と、前記入力キー５２で入力した情報を確認するための液晶ディスプレイ５３と、電源スイッチ（図示せず）とを備えている。また、前記カードリーダ５は、入力した情報やカード情報を暗号化して送出できる暗号化手段を備えている。
前記カードリーダ５には通信ケーブル５４が設けられており、この通信ケーブル５４の先端に携帯電話機９のデータ伝送端子に接続できる接続ソケット５５が設けられ、通信ケーブル５４を介してカードリーダ５より暗号化した出力情報を携帯電話機９に送り込むことができるようになっている。
また、前記カード読取部５１には、当該カード読取部５１の溝の内側であって当該溝の内側の中程の所定の位置に磁気読取ヘッド（図示せず）が設けられている。そして、当該溝の図示上側から、前記クレジットカード３の磁気記録媒体３２側を前記溝の底側に配置した状態で挿入し、図示上側から図示下側に向かってクレジットカード３を当該溝の内部に挿入したまま当該溝に沿って所定の速さで移動させることにより、クレジットカード３の磁気記録媒体３２に記録されているクレジットカード情報が磁気読取ヘッドによって読み取れるようになっている。
【００１３】
図４は、本発明の実施の形態に係る携帯電話機９を用いたカード決済システム１に使用する携帯電話機９の外観を示す正面図である。
この図４において、前記携帯電話機９は、本体９ａの図示上側に液晶ディスプレイ９ｂを設け、その下側にダイヤルキー９ｃを設け、その図示右上側にアンテナ９ｄを設け、また、本体９ａの中心部にマルチファンクションキー９ｅを設けた構成となっている。また、この携帯電話機９は、ウエブ表示機能を備えていて、パケット通信網１７、通信事業者接続センター１８に設置したアクセスサーバ、ゲートウエイサーバ、ルータを経由してインターネット７に接続し、前記インターネット７上でコンテンツ提供者から提供されているコンテンツを取り込んで、液晶ディスプレイ９ｂに表示できるようになっている。また、液晶ディスプレイ９ｂは、その他各種の表示が可能となっている。
【００１４】
図５は、本発明の実施の形態に係る携帯電話機９を用いたカード決済システム１における決済情報処理装置を示すブロック図である。
この図５において、前記決済情報処理装置１１は、各種データの記録や装置全体の動作を管理する管理サーバ１１ａと、インターネット７に接続されていてホームページやクレジット決済用画面などのコンテンツをインターネット７上に配信する課金サーバ１１ｂと、ＣＡＦＩＳ１５に接続してデータ処理装置１３との通信を制御するためのメディアサーバ１１ｃと、これらサーバ１１ａ、１１ｂおよびメディアサーバ１１ｃへの各種設定を行うためのデクストップクライアント１１ｄと、これらを接続するＬＡＮ回線１１ｅとを備えている。
また、管理サーバ１１ａは、当該装置で通信が行われた場合の記録を格納しておくデータベースを備えるとともに、装置全体の動作を統括して制御するコンピュータである。
さらに、前記ウエブサーバ１１ｂは、ホームページファイルから必要なデータを取り出してコンテンツ（ホームページ、クレジット決済用画面、追加項目入力画面）をインターネット７上に配信できるとともに、クレジット決済用画面や追加項目入力画面に入力されたデータを受信し、暗号化されたクレジット情報を解読して管理サーバ１１ａに与えることができる。
また、メディアサーバ１１ｃは、管理サーバ１１ａからの処理命令に基づいて、管理サーバ１１ａより指定された決済機関１２のデータ処理装置１３に接続し、データ処理装置１３と通信を行って必要な情報を取得し、管理サーバ１１ａに与えるようになっている。
【００１５】
前記管理サーバ１１ａは、前記データ処理装置１３から取得した情報をウエブサーバ１１ｂに与えるようになっている。
デクストップクライアント１１ｄは、管理サーバ１１ａ、ウエブサーバ１１ｂおよびメディアサーバ１１ｃに各種必要な設定を行えるようになっている。
ここで、管理サーバ１１ａ、ウエブサーバ１１ｂおよびメディアサーバ１１ｃは、基本的には、同一のハードウエア構成をしているので、管理サーバ１１ａを代表して説明し、他のサーバ１１ｂおよびメディアサーバ１１ｃのハードウエアの説明は省略する。なお、デクストップクライアント１１ｄは、既に説明したが、他のサーバ１１ａ、１１ｂやメディアサーバ１１ｃの各種の設定をしたり、決済機関１２や決済情報センター１０において必要な情報を取得したりするためのものであり、他のものとは異なるので説明することにする。
【００１６】
まず、管理サーバ１１ａについて説明する。前記管理サーバ１１ａは、各種処理や制御を実行する制御部１１１と、オペレーティングシステムや管理サーバ１１ａの働きを実現させるアプリケーションプログラムやその他必要なデータを展開、記憶する主記憶装置１１２と、オペレーティングシステムや管理サーバ１１ａの働きを実現させるアプリケーションプログラムやその他必要なデータを格納しているハードディスク装置等の記憶媒体を駆動する記憶媒体駆動装置１１３と、図示しない入力機器や出力機器などを接続するための入出力インターフェース（Ｉ／Ｆ）１１４と、前記ＬＡＮ回線１１ｅに接続してデータ通信を行うＬＡＮ１１５と、これらを接続するバスライン１１６とから構成されている。
また、前記制御部１１１は、各種演算処理を実行する中央演算処理装置（ＣＰＵ）１１１ａと、イニシャル時に所定の処理を前記ＣＰＵ１１１ａに実行させるプログラムが記憶されたリード・オンリ・メモリ（ＲＯＭ）１１１ｂと、前記ＣＰＵ１１１ａが演算処理を実行する際に、必要なデータを一時格納するランダム・アクセス・メモリ（ＲＡＭ）１１１ｃとから構成されており、これらはバスライン１１６に接続されている。
【００１７】
次に、デクストップクライアント１１ｄについて説明する。デクストップクライアント１１ｄは、各種の処理や制御を実行する制御部１２１と、オペレーティングシステムやデクストップクライアント１１ｄを実現させるアプリケーションプログラムやその他必要なデータを記憶する主記憶装置１２２と、ハードディスク等の記憶媒体を駆動する記憶媒体駆動装置１２３と、図示しない入力機器や出力機器などを接続するための入出力インターフェース（Ｉ／Ｆ）１２４と、前記ＬＡＮ回線１１ｅに接続してデータ通信を行うＬＡＮ１２５と、前記制御部１２１に各種データを入力するキーボード１２６と、前記制御部１２１に必要な指示を与えるマウス１２７と、前記制御部１２１で処理した結果を表示する表示装置１２８と、これらの接続するバスライン１２９とから構成されている。
また、前記制御部１２１は、各種演算処理を実行するＣＰＵ１２１ａと、イニシャル時に所定の処理を前記ＣＰＵ１２１ａに実行させるプログラムが記憶されたＲＯＭ１２１ｂと、前記ＣＰＵ１２１ａが演算処理を実行する際に、必要なデータを一時格納するＲＡＭ１２１ｃとから構成されており、これらはバスライン１２９に接続されている。
【００１８】
図６は、本発明の実施の形態に係る携帯電話機９を用いたカード決済システム１に使用するカードリーダ５を示したブロック図である。
この図６において、カードリーダ５は、後述するプログラムを実行することによりカードリーダ５としての動作を行わせる中央演算処理装置（ＣＰＵ）５６と、カードリーダ５として動作させるプログラムが格納されているメモリ５７と、入力キー５２からの入力データを制御するキーコントローラ５８と、液晶ディスプレイ５３の表示を制御する表示制御ユニット５９と、磁気読取ヘッド６０で読み取ったクレジットカード情報を処理する読取データ処理回路６１と、携帯電話機９との間で通信を行うための電話機インターフェース（Ｉ／Ｆ）６２と、これらを接続するバスラインと、カードリーダ本体５０に内蔵したバッテリからの直流電力または商用電源を整流して得た直流電力を前記各回路に供給する電源回路（図示せず）とから構成されている。また、電話機Ｉ／Ｆ６２は、通信ケーブル５４が接続可能になっている。
【００１９】
ここで、クレジット決済が必要となって電源スイッチをオンとすると、前記ＣＰＵ５６は、前記メモリ５７に格納されているプログラムを実行し、待機状態になる。この待機状態で、カードリーダ５のカードリーダ本体５０の溝の図示上側からクレジットカード３の磁気記録媒体３２側を前記溝の底側に配置した状態で挿入し、図示上側から下側に向かってクレジットカード３を当該溝に沿って所定の速さで移動させることにより、クレジットカード３の磁気記録媒体３２に記録されているクレジットカード情報を磁気読取ヘッド６０で読み取る。この磁気読取ヘッド６０の読取データは、読取データ処理回路６１でデジタル信号に変換された後、保存できるようになっている。
【００２０】
前記ＣＰＵ５６は、読取データ処理回路６１にあるクレジットカード情報や、入力キー５２から入力された決済に必要な情報などのカード決済情報を取り込み、暗号化し、転送可能状態になっている。
そして、携帯電話機９においてデータ受信が可能な状態になると、前記ＣＰＵ５６は、入力キー５２の転送キーの押下によって、前記暗号化したクレジットカード情報および決済に必要なデータなどのカード決済情報を通信ケーブル５４を介して携帯電話機９に転送できるようになっている。
【００２１】
このような構成の携帯電話機９を用いたカード決済システム１の動作を図１ないし図６を基に図７ないし図１０を参照して説明する。
図７は、本発明の実施の形態に係る携帯電話機９を用いたカード決済システム１において携帯電話機９側での操作を含めた流れを説明するためのフローチャートである。図８は、本発明の実施の形態に係る携帯電話機９を用いたカード決済システム１において携帯電話機９の動作を説明するためのフローチャートである。図９は、本発明の実施の形態に係る携帯電話機９を用いたカード決済システム１においてカードリーダ５の動作を説明するためのフローチャートである。図１０は、本発明の実施の形態に係る携帯電話機９を用いたカード決済システム１において決済情報処理装置１１のウエブサーバの動作を説明するためのフローチャートである。
【００２２】
まず、図７を用いて、携帯電話機９側での操作を含めた流れを説明する。
決済が必要となったときには、まず、携帯電話機９を操作する者（以下、「操作者」という）が前記携帯電話機９にカードリーダ５を接続した後、前記カードリーダ５の電源スイッチをオンにする（Ｓ２０１）。
次に、操作者は、前記携帯電話機９のダイヤルキー９ｃおよびマルチファンクションキー９ｅを使用して、前記携帯電話機９をインターネット７を介して決済情報センター１０の決済情報処理装置１１に接続させる操作を行う（Ｓ２０２）。
これにより、前記携帯電話機９の液晶ディスプレイ９ｂには、決済情報処理装置１１から送られてきた決済情報センター１０のホームページが表示される（Ｓ２０３）。
【００２３】
ついで、操作者は、携帯電話機９のダイヤルキー９ｃ、マルチファンクションキー９ｅを使用し、クレジット決済用画面の表示を指示する操作をする（Ｓ２０４）。
これにより、前記携帯電話機９の液晶ディスプレイ９ｂには、クレジット決済用画面が表示されて、携帯電話機９も入力待ち状態になる（Ｓ２０５）。
次に、決済を行おうとする者（以下、「利用者」という）あるいは操作者が、カードリーダ５のカード読取部５１の溝にクレジットカード３を挿入し、当該溝内を上から下に向けて移動させてクレジットカード３の磁気記録媒体３２に記録されているカード情報を磁気読取ヘッド６０で読み取らせる（Ｓ２０６）。
また、利用者が、カードリーダ５の入力キー５２を操作し、暗証番号や金額などを入力する（Ｓ２０７）。
すると、カードリーダ５では、ＣＰＵ５６の制御下に、磁気読取ヘッド６０で読み取ったカード情報と、入力キー５２から入力された暗証番号、金額などのカード決済情報を、取得するとともにこれらのカード決済情報を暗号化してメモリ５７に一時格納する（Ｓ２０８）。
【００２４】
ついで、操作者は、カードリーダ５の液晶ディスプレイ５３の表示から転送可能であることを確認したところで、カードリーダ５の入力キー５２の転送キーを押下する（Ｓ２０９）。
これにより、カードリーダ５のＣＰＵ５６はメモリ５７に一時格納しておいた暗号化されたクレジットデータを携帯電話機９に転送する（Ｓ２１０）。
次に、携帯電話機９は、受け取った暗号化されたクレジットデータをクレジット決済用画面に入力した後、決済情報センター１０の決済情報処理装置１１に送信して待機状態になる（Ｓ２１１）。
そして、前記携帯電話機９の液晶ディスプレイ９ｂには、送信した結果が表示される（Ｓ２１２）。
【００２５】
携帯電話機９の液晶ディスプレイ９ｂに、暗証番号の入力間違いと表示された場合には（Ｓ２１３；暗証番号ＮＧ）、再び、Ｓ２０６に戻って、Ｓ２０６以降の処理をする。
また、携帯電話機９の液晶ディスプレイ９ｂに、与信ＮＧと表示された場合には（Ｓ２１３；与信ＮＧ）、操作者は、携帯電話機９をインターネット７から切断し、カードリーダ５の電源をオフにして前記携帯電話機９のデータ転送端子からカードリーダ５の接続ソケット５５を外し（Ｓ２１４）、処理を終了する。
一方、携帯電話機９の液晶ディスプレイ９ｂに、与信許可と表示された場合には（Ｓ２１３；与信ＯＫ）、一定時間の後、追加項目の入力画面が携帯電話機９の液晶ディスプレイ９ｂに表示される（Ｓ２１５）。
【００２６】
操作者は、追加項目の入力画面を見ながら、前記携帯電話機９のダイヤルキー９ｃやマルチファンクションキー９ｅを操作して必要な情報を入力し、入力がＯＫな場合には転送ボタンをオンにする（Ｓ２１６）。
これにより、携帯電話機９の液晶ディスプレイ９ｂに、入力完了画面が表示される（Ｓ２１７）。
その後、全ての入力が終了したので、操作者は、前記携帯電話機９のオフフックボタンを押下し、カードリーダ５の電源スイッチをオフにし、かつ、前記携帯電話機９のデータ転送端子から接続ソケット５５を抜き取り（Ｓ２１８）、処理を終了する。
以上が携帯電話機９側における操作者や利用者の操作手順や前記携帯電話機９や前記カードリーダ５の動作である。
【００２７】
上述したように携帯電話機９側が動作すると、決済情報処理装置１１では、ウエブ画面上のクレジット決済用画面を、インターネット７に接続されたウエブ処理機能を持つ携帯電話機９に配信するステップを処理する。そして、カードリーダ５で得られたカード決済情報が当該携帯電話機９によってクレジット決済用画面に書き込まれた結果であるカード決済情報を取得するステップを処理することにより、当該カード決済情報を取得する。そして、その取得した当該カード決済情報をＣＡＦＩＳ１５を介して決済機関１２のデータ処理装置１３に送り、決済処理を行うステップを処理する。
【００２８】
次に、以上のような流れのなかで、前記携帯電話機９や、前記カードリーダ５や、前記決済情報処理装置１１がどのように動作しているかを図８、図９および図１０を参照して説明する。
上記図７のＳ２０１，Ｓ２０２の操作をし、前記携帯電話機９を、パケット通信網１７、通信事業者接続センター１８およびインターネット７を介して前記決済情報センター１０の決済情報処理装置１１に接続すると、図７の携帯電話機９のフローチャートの処理が開始される。同様に、図１０の決済情報処理装置１１のフローチャートの処理が開始される。
決済情報センター１０の決済情報処理装置１１は、インターネット７から接続要求を受けると、ホームページの表示データをインターネット７を介して前記携帯電話機９に向けて送信し（Ｓ８０１）、クレジット決済用画面データの要求待ちになる（Ｓ８０２；ＮＯ−Ｓ８０１の繰り返し）。
【００２９】
前記携帯電話機９では、決済情報処理装置１１から配信されるホームページの表示データを受信し、液晶ディスプレイ９ｂに表示する（Ｓ４０１）。次に、前記携帯電話機９では、クレジット決済用画面に切り換える指令の入力待ちになる（Ｓ４０２；ＮＯ−Ｓ４０１の繰り返し）。
そして、前記携帯電話機９では、クレジット決済用画面への切り換え指令を受け取ると（Ｓ４０３；ＹＥＳ）、クレジット決済用画面データを要求する（Ｓ４０２）。
【００３０】
前記決済情報センター１０の前記決済情報処理装置１１は、クレジット決済用画面への切り換え要求を受信すると（Ｓ８０２；ＹＥＳ）、クレジット決済用画面データを前記携帯電話機９に向けてインターネット７に配信し、クレジットデータの受信待ちとなる。（Ｓ８０３；ＮＯ−Ｓ８０４の繰り返し）。
【００３１】
そして、前記携帯電話機９では、クレジット決済用画面データを受信してクレジット決済用画面を液晶ディスプレイ９ｂに表示する（Ｓ４０４）。
ついで、前記携帯電話機９では、前記カードリーダ５に対してクレジットデータの入力要求を出し（Ｓ４０５）、入力待ちになる（Ｓ４０６；ＮＯ）。
【００３２】
一方、前記カードリーダ５では、図７のＳ２０６の操作がされると、ＣＰＵ５６は、入力待ち（Ｓ６０１；ＮＯ）であったものが入力ありとなって（Ｓ６０１；ＹＥＳ）、クレジットカード３の磁気記録媒体３２の記録情報を読み取り、この読取データにデジタル変換処理を実行する。これとともに、図７のＳ２０７の操作によってキーコントローラ５８から暗証番号も取り込み、これらのデータに暗号化処理を実行し、その結果をメモリ５７に一時記憶させておき（Ｓ６０２）、入力要求待ちになる（Ｓ６０３；ＮＯ）。
前記カードリーダ５では、前記ＣＰＵ５６が、前記携帯電話機９から入力要求を受信すると（Ｓ６０３；ＹＥＳ）、クレジットデータの転送許可を液晶ディスプレイ５３に表示し（Ｓ６０４）、入力キー５２の転送キーの押下待ちになる（Ｓ６０５；ＮＯ−Ｓ６０４の繰り返し）。
ここで、図７のＳ２０９の操作（すなわち入力キー５２の転送キーが押下）されると、前記カードリーダ５のＣＰＵ５６は、メモリ５７に一時格納しておいた暗号化されたクレジットデータを前記携帯電話機９に転送し（Ｓ６０６）、送信結果待ち状態になる（Ｓ６０７）。
【００３３】
一方、前記携帯電話機９では、暗号化されたクレジットデータを受信すると（Ｓ４０６；ＹＥＳ）、液晶ディスプレイ９ｂに表示されているクレジット決済用画面に当該データを埋め込む処理を行い、埋め込みが完了した時点で当該クレジット決済用画面を決済情報処理装置１１に向けて送信し（Ｓ４０７）、送信結果待ちになる（Ｓ４０８；ＮＯ）。
【００３４】
ここで、前記決済情報センター１０の決済情報処理装置１１は、暗号化されたクレジットデータが埋め込まれたクレジット決済用画面データを受信し、暗号を解読する（Ｓ８０５）。
また、前記決済情報処理装置１１は、解読したデータから決済機関１２を特定し、メディアサーバ１１ｃ、ＣＡＦＩＳ１５を介して前記決済機関１２のデータ処理装置１３に接続し、暗証番号、会員番号、金額など送信して、データの適合性や与信について問い合わせる処理を実行する（Ｓ８０６）。
さらに、前記決済情報処理装置１１は、前記決済機関１２のデータ処理装置１３に問い合わせた結果を前記携帯電話機９に向けてインターネット７に配信するとともに（Ｓ８０７）、その結果に応じた処理に移行する（Ｓ８０８）。
【００３５】
まず、暗証番号がＮＧの場合には（Ｓ８０８；暗証番号ＮＧ）、前記決済情報処理装置１１は、再入力要求を携帯電話機９に向けてインターネット７に配信し（Ｓ８０９）、図１０のＳ８０３に戻る。
すると、前記携帯電話機９では、送信結果を受信すると（Ｓ４０８；ＹＥＳ）、その内容の暗証番号がＮＧであったので（Ｓ４０９；暗証番号ＮＧ）、再入力要求画面を液晶ディスプレイ９ｂに表示するとともに、再入力要求を前記カードリーダ５に与えて（Ｓ４１０）、図８のＳ４０５に戻り、Ｓ４０５以下の処理を実行することになる。
【００３６】
これにより、前記カードリーダ５のＣＰＵ５６は、再入力要求を受信すると（Ｓ６０７；暗証番号ＮＧ）、液晶ディスプレイ５３に再入力の表示をし（Ｓ６０８）、再び、図９のＳ６０１に戻り、図９のＳ６０１以下の処理を実行する。
また、与信がＮＧの場合には（Ｓ８０８；与信ＮＧ）、前記決済情報処理装置１１は、与信ＮＧ画面データを携帯電話機９に向けてインターネット７に配信し（Ｓ８１０）、処理を終了する。
【００３７】
前記携帯電話機９では、与信ＮＧを受信すると、与信ＮＧの表示をし，カードリーダ５に与信ＮＧを送信する（Ｓ４１１）。
これにより、前記カードリーダ５のＣＰＵ５６は、与信ＮＧを受信すると（Ｓ６０７；与信ＮＧ）、液晶ディスプレイ５３に与信不能の表示をし（Ｓ６０９）、処理を終了する。
【００３８】
一方、与信がＯＫの場合には（Ｓ８０８；与信ＯＫ）、前記決済情報処理装置１１は、与信ＯＫ画面データを携帯電話機９に向けてインターネット７に配信し、一定時間後に追加項目の入力画面データを携帯電話機９に向けてインターネット７に配信する（Ｓ８１０）。そして、追加項目のデータが入力された追加項目の入力画面データの受信待ちとなる（Ｓ８１２；ＮＯ−Ｓ８１１の繰り返し）。
ここで、前記携帯電話機９では、与信ＯＫ画面データを受信し、これを液晶ディスプレイ９ｂに表示し、かつ、一定時間後に追加項目の入力画面データが受信されるので、これを表示し、かつ、与信ＯＫをカードリーダ５に送信し（Ｓ４１２）、送信ボタン押下待ちになる（Ｓ４１３；ＮＯ）。これにより、カードリーダ５は、与信ＯＫの表示をし（Ｓ６１０）、処理を終了する。
【００３９】
前記携帯電話機９では、送信ボタンが押下されたことが検出されると（Ｓ４１３；ＹＥＳ）、データが入力された追加項目の入力画面データをインターネット７を介して決済情報処理装置１１に送信し（Ｓ４１４）、終了データが受信されない場合に（Ｓ４１５；ＮＯ）、図８のＳ４１２に戻る。
一方、前記決済情報センター１０の決済情報処理装置１１は、データが入力された追加項目の入力画面データを受信すると（Ｓ８１２；ＹＥＳ）、そのデータを前記決済機関１２のデータ処理装置１３に送り（Ｓ８１３）、前記データ処理装置１３に全ての処理が終了したか否かを確認する（Ｓ８１４）。
前記決済情報センター１０の決済情報処理装置１１は、全ての処理が終了していないときには（Ｓ８１４；ＮＯ）、図１０のＳ８１１に戻り、図１０のＳ８１１以下の処理を行う。
【００４０】
また、前記決済情報センター１０の決済情報処理装置１１は、全ての処理が終了したときには（Ｓ８１４；ＹＥＳ）、完全に処理が終了したデータを前記携帯電話機９に向けてインターネット７に配信して（Ｓ８１５）、処理を終了する。
これにより、前記携帯電話機９でも、完全に処理が終了したデータを受信したので（Ｓ４１５；ＹＥＳ）、処理が正常に終了したことを液晶ディスプレイ９ｂに表示し（Ｓ４１６）、処理を終了する。
【００４１】
本発明の実施の形態に係る携帯電話機９を用いたカード決済システム１では、前記携帯電話機９が図８に示すフローチャートのように動作し、前記カードリーダ５が図９に示すフローチャートのように動作し、また、前記決済情報処理装置１１が図１０に示すフローチャートのように動作することになる。
したがって、本発明の実施の形態に係る携帯電話機９を用いたカード決済システム１では、ウエブ処理機能のある携帯電話機９にカードリーダ５を接続し、簡単かつ確実にカード決済を可能にできるとともに、特別な装置や複雑で大容量のプログラムも不要であるほか、カードリーダ５で通信制御を行わないので、安価にカード決済端末を構築することができる。
なお、本発明の実施の形態に係る携帯電話機９を用いたカード決済システム１では、クレジットカード３で説明したが、銀行のキャッシュカード（デビットカード）でもよい。また、クレジットカード３やデビットカードのように磁気記録媒体を設けたもののほか、ＩＣカードを使用してもよい。この場合、カードリーダ５は、ＩＣカードを読み取れるものにする必要がある。
【００４２】
上述した処理を実行する決済情報処理プログラムを決済情報処理装置１１にインストールし、当該決済情報処理装置１１で実行可能な状態にするために用いられるプログラム記憶媒体としては、例えばフレキシブルディスク、ＣＤ−ＲＯＭ、ＤＶＤなどのパッケージメディア以外に、プログラムが一時的もしくは永続的に格納される半導体メモリや磁気ディスクなどで実現してもよい。
上述したプログラム記憶媒体に格納する手段としては、ＬＡＮやインターネット７などの有線通信媒体、あるいはデジタル衛星放送などの無線通信媒体を利用してもよく、ルータやモデムなどの各種通信インターフェースを介して格納するようにしてもよい。
【００４３】
【発明の効果】
以上説明したように本発明によれば、ウエブ処理機能のある機能携帯電話機にカードリーダを接続し、かつ、インターネットのウエブ画面を利用して前記カードリーダで得たカード決済情報を決済情報センターに送ることによりカード決済をするので、簡単かつ確実にカード決済を可能にできる。
また、本発明によれば、特別な装置や複雑で大容量のプログラムも不要であるほか、カードリーダで通信制御を行わないため、安価にカード決済端末を構築することができる。
【図面の簡単な説明】
【図１】本発明の実施の形態に係る携帯電話機を用いたカード決済システムの構成を示す図である。
【図２】本発明の実施の形態に係る携帯電話機を用いたカード決済システムで使用するカードを示す図である。
【図３】本発明の実施の形態に係る携帯電話機を用いたカード決済システムで使用するカードリーダの外観を示す図である。
【図４】本発明の実施の形態に係る携帯電話機を用いたカード決済システムに使用する携帯電話機の外観を示す正面図である。
【図５】本発明の実施の形態に係る携帯電話機を用いたカード決済システムにおける決済情報処理装置を示すブロック図である。
【図６】本発明の実施の形態に係る携帯電話機を用いたカード決済システム使用するカードリーダを示すブロック図である。
【図７】本発明の実施の形態に係る携帯電話機を用いたカード決済システムにおいて携帯電話機側での操作を含めた流れを説明するためのフローチャートである。
【図８】本発明の実施の形態に係る携帯電話機を用いたカード決済システムにおいて携帯電話機の動作を説明するためのフローチャートである。
【図９】本発明の実施の形態に係る携帯電話機を用いたカード決済システムにおいてカードリーダの動作を説明するためのフローチャートである。
【図１０】本発明の実施の形態に係る携帯電話機を用いたカード決済システムにおいて決済情報処理装置のウエブサーバの動作を説明するためのフローチャートである。
【符号の説明】
１　カード決済システム
３　クレジットカード
５　カードリーダ
７　インターネット
９　携帯電話機
１０　決済情報センター
１１　決済情報処理装置
１１ａ　管理サーバ
１１ｂ　課金サーバ
１１ｃ　メディアサーバ
１１ｄ　デクストップクライアント
１２　決済機関
１３　データ処理装置
１５　ＣＡＦＩＳ
１７　パケット通信網
１８　通信事業者接続センター
【図１】
2004054651.tif 000003
【図２】
2004054651.tif 000004
【図３】
2004054651.tif 000005
【図４】
2004054651.tif 000006
【図５】
2004054651.tif 000007
【図６】
2004054651.tif 000008
【図７】
2004054651.tif 000009
【図８】
2004054651.tif 000010
【図９】
2004054651.tif 000011
【図１０】
2004054651.tif 000012